Podtech/llm-jp-corpus-v4-ja_patent huggingface dataset:
(57)【要約】      （修正有）【課題】人体の首筋から脇に渡って体温を冷ます、家庭用の熱冷まし具を提供する。【解決手段】袋状の帯体１の長辺方向の一側に所要数の開口部２を配設し、開口部２を介して内部空間１ｄに所要数の保冷体３を収納する。保冷体３を収納した帯体１は長辺方向に沿って折りたたまれ、保冷体３は脱落することなく、適所に保持される。このほか、前記開口部２がその外端間に開口用のツマミ片２ａを伴って成る。【選択図】図１
0003170379.tif 000002
【実用新案登録請求の範囲】
【請求項１】
袋状の帯体の長辺方向の一側辺に所要数の開口部を配設し、該開口部を介して内部空間に所要数の保冷体を収納して成り、該帯体が長辺方向に沿って折りたたまれ、該保冷体を脱落させることなく、かつ、適所に保持できることを特徴とする体温の熱冷まし具。
【請求項２】
前記開口部が、その外端間に開口用のツマミ片を伴って成る請求項１記載の体温の熱冷まし具。
【考案の詳細な説明】
【技術分野】
【０００１】
本考案は、人体の首筋から脇の下に渡って体温を冷ます家庭用の熱冷まし具に関する。
【背景技術】
【０００２】
人体の首筋や脇の下等の使用部位における体温の熱冷まし技術としては、特開２００６−１３６６７９号公報（特許文献１）や特開２００２−１１３０３５号公報（特許文献２）、特開平１１−２５３４７９号公報（特許文献３）等が提案されている。
上記特許文献１や特許文献２に開示された技術は、使用時の発汗や結露を吸収し得る技術に関するものであり、特許文献３に開示された技術は、保冷剤や不凍液を使用することによって、熱冷まし時の時間的な経過に応じてその働きに使用部位への倣い性や緩衝機能を発揮させるものであり、熱冷まし時の利便性に関しては何ら開示されていない。
【先行技術文献】
【特許文献】
【０００３】
【特許文献１】特開２００６−１３６６７９号公報
【特許文献２】特開２００２−１１３０３５号公報
【特許文献３】特開平１１−２５３４７９号公報
【考案の概要】
【考案が解決しようとする課題】
【０００４】
本考案は、人体の首筋などの露出部分から脇の下などの衣類内に渡る体温の熱冷まし技術において、利便性の点で改善した体温の熱冷まし具を提供する。
【課題を解決するための手段】
【０００５】
本考案の請求項１に記載した体温の熱冷まし具は、袋状の帯体の長辺方向の一側に所要数の開口部を配設し、該開口部を介して内部空間に所要数の保冷体を収納して成り、該帯体が長辺方向に沿って折りたたまれ、該保冷体を脱落させることなく、かつ、適所に保持できることを特徴とする。
請求項２に記載した考案は、請求項１に記載した体温の熱冷まし具において、前記開口部がその外端間に開口用のツマミ片を伴って成る。
【考案の効果】
【０００６】
本考案の体温の熱冷まし具によれば、人体の首筋や脇の下に渡って冷やすことのできる熱冷まし具において、帯体の中で熱冷まし部位に対応して移動自在に保冷体を保持できるから効率的に熱冷ましできる上、帯体への保冷体の収納時には開口部が容易に開けられ、しかも、長辺に沿って帯体を折り返すことによって保冷体を脱落させることなく、折り返される側が衣類に向けられるからその保湿性によって衣類等を不要に濡らすことがないなどの利便性がある。
【図面の簡単な説明】
【０００７】
【図１】本考案に係る体温の熱冷まし具Ａの一部を破断した斜視図。
【図２】帯体１を折りたたんだ状態の体温の熱冷まし具Ａの斜視図。
【図３】体温の熱冷まし具Ａの使用状態の説明図。
【考案を実施するための形態】
【０００８】
帯体の長さは人体の首筋から脇の下に渡って取り着けられる十分な長さが選択され、保冷体を挿入する開口部は２個所が最適であるがこれに限定するものではなく、また、帯体の幅が保冷体の幅の略２倍であれば、該帯体は十分に二ツ折りされて保冷体が脱落しない状態で適所に保持される。さらに、両開口部の外端間に形成されるツマミ片はその高さ寸法が40mm程度であればツマミ易いものである。
【実施例】
【０００９】
本考案を一実施例により説明すると、図１に示すように、所要幅（160mm）、所要長さ（850mm）の帯体１は、保湿性のある綿製無地の裏地１aと同材質で各種絵柄の入った表地１bとの二枚合わせで、両幅方向の全域と上辺である長辺の一端側１cの両端からの所要域とに渡って縫合され、かつ、長辺の中央部で前記一端側１cから所要寸法下方で所要幅に渡り縫合され、該中央部から左右に仮想線で示したような斜め状に開口された開口部２が配設され、開口部２が内部空間１dに連通されて横長の袋状に形成される。このようにして開口された開口部２から内部空間１dの適所に３個の保冷体３が収納されるが、保冷体３の数はこれに限定するものではなく、また、その性状は一般に市販されているものでよい。開口部２、２の各内端は各外端より所要寸法（40mm程度）下げられた位置であるから、両外端間には開口用のツマミ片２a、２aが形成され、保冷体３を内部空間１dに収納するとき開口部２が簡単に開けられて都合のよいものである。
さらに図示しないが、帯体１の中央部での表地１bと裏地１aとの縫合線と並行で、高さにおいて底辺から略３分の１地点に同じく縫合して、同縫合線の上下に大小の保冷体３の収納部を設けることがある。
【００１０】
このようにして帯体１の内部空間１dに保冷体３が収納された体温の熱冷まし具Ａは、図２に示すように、長辺に沿って二ツ折りされ、収納された保冷体３が脱落しないように、かつ、適所に保持された状態で収められ、折り返された部位（３層側）が衣類側に向けられて綿の保湿性によって衣類を不要に濡らすことなく、保冷体３で冷やされる側（一対の裏地１aと表地１bによる１層側）が皮膚側に向けられ、図３に示すように、人体の首筋４から脇の下５に渡って取着され、体温の熱冷ましに使用される。
このように、本考案の体温の熱冷まし具Ａによれば、使用状態では長尺な紐状となった帯体１は内部空間１dに収納した保冷体３を人体の熱冷まし部位に簡便に保持できるとともに、保冷体３の内部空間１dへの収納時にはツマミ片２aによって開口部２が容易に開けられ、しかも、長辺に沿って折り返すことによって保冷体３を脱落させることなく、折り返される側を衣類に向けてその保湿性によって衣類等を不要に濡らすことがないなどの利便性の点で極めて有用なものである。なお、保冷体３は従来での使用のように冷凍庫内で冷却されたもので繰り返し使用されるものである。
【産業上の利用可能性】
【００１１】
本考案の体温の熱冷まし具によれば、帯体に収納される保冷体は人体の熱冷まし部位へ移動自在であるから効率的に冷やすことができ、しかも、帯体を二ツ折りすることにより保冷体を脱落させることなくしっかり保持でき、帯体への保冷体の収納時にはツマミ片によって開口部が簡単に開けられるなど、利便性の点で極めて有用であり、各家庭内で常備する日用品としてその需要が大いに期待される。
【符号の説明】
【００１２】
１：帯体
１a：裏地
１b：表地
１c：一端側
１d：内部空間
２：開口部
２a：ツマミ片
３：保冷体
４：首筋
５：脇の下
Ａ：体温の熱冷まし具
【図１】
0003170379.tif 000003
【図２】
0003170379.tif 000004
【図３】
0003170379.tif 000005
(57)【要約】      （修正有）【課題】稲穂につくカメ虫の被害から守るため、カメ虫を集めるカメ虫集合器を提供する。【解決手段】真土、炒った糠、及び藤のつるを煎じたエキスを混ぜて作った土壌をプランターに入れ、そこにススキを植えたカメ虫集合器であって、そのカメ虫集合器を田んぼの周りの畦道に設置し、カメ虫集合器のススキにカメ虫を集め、田んぼの稲穂にカメ虫が来るので防止できるようにしたことを特徴とする。【選択図】図１
0003170322.tif 000002
【実用新案登録請求の範囲】
【請求項１】
真土、炒った糠、及び藤のつるを煎じたエキスを混ぜて作った土壌をプランターに入れ、そこにススキを植えたカメ虫集合器であって、そのカメ虫集合器を田んぼの周りの畦道に設置し、カメ虫集合器のススキにカメ虫を集め、田んぼの稲穂にカメ虫が来るので防止できるようにしたことを特徴とするカメ虫集合器。
【考案の詳細な説明】
【技術分野】
【０００１】稲穂につくカメ虫の被害から守るため、カメ虫を集めるカメ虫集合器に関する。
【背景技術】
【０００２】畦道近くの稲穂を収穫した際、カメ虫により米粒に黒い斑点が生じ、出荷米の等級が下がり農家の収入減になっている。従来は特許文献１のようにカメ虫を忌避するため、防虫忌避処理剤などを用いていた。
【先行技術文献】
【特許文献】
【０００３】
【特許文献１】特開平６−１３２４０２
【考案の概要】
【考案が解決しようとする課題】
【０００４】１）稲穂にカメ虫が集まってきて、カメ虫が米粒の養分を吸った箇所に米粒に黒い斑点が生じる。
２）そのカメ虫による被害は収穫時になる迄判明しない。
【課題を解決するための手段】
【０００５】真土、炒った糠、及び藤のつるを煎じたエキスを混ぜて作った土壌をプランターに入れ、そこにススキを植えたカメ虫集合器であって、そのカメ虫集合器を田んぼの周りの畦道に設置し、カメ虫集合器のススキにカメ虫を集め、田んぼの稲穂にカメ虫が来るので防止できるようにしたことを特徴とするカメ虫集合器。
【考案の効果】
【０００６】１）材料は真土、炒った糠、及び藤のつる等の自然の物で環境によい。
２）費用、手間が殆どかからない。
３）農薬不要。
４）何回も使用可能。
【図面の簡単な説明】
【０００７】
【図１】本考案のカメ虫集合器の構成
【図２】本考案のカメ虫集合器の使用例
【考案を実施するための形態】
【０００８】  図１は、本考案のカメ虫集合器１の構成を示す。土壌３は真土、炒った糠、藤のつるを煎じたエキスとからなる。出来上がった土壌３にススキ４を複数植え込む。植え込むススキは株になっており、例えばその株の巾は３ｃｍである。
図２は、本考案のカメ虫集合器の使用例を示す。田んぼの周りの畦道に本考案のカメ虫集合器を複数並べて置く。これによりカメ虫はススキの茎の汁を吸うために寄ってくる。これにより稲穂にカメ虫が寄ってくるのを防止できる。
【産業上の利用可能性】
【０００９】
【符号の説明】
【００１０】１    カメ虫集合器
２    プランター（７０ｃｍ前後）
３    土壌
４    ススキ
５    田んぼ
６    畦道
【図１】
0003170322.tif 000003
【図２】
0003170322.tif 000004
【手続補正書】
【提出日】平成23年6月27日(2011.6.27)
【手続補正１】
【補正対象書類名】実用新案登録請求の範囲
【補正対象項目名】全文
【補正方法】変更
【補正の内容】
【実用新案登録請求の範囲】
【請求項１】
プランターと、当該プランター内に入れられた、真土、炒った糠、及び藤のつるを煎じたエキスを混ぜて作った土壌と、そこに植えられたススキとからなるカメ虫集合器。
(57)【要約】      （修正有）【課題】魚釣りのサビキ仕掛けの中枢である幹糸を切らずに作る事と針素糸の交換、修理、調整も容易にしたサビキ仕掛けを提供する。【解決手段】中枢である幹糸に対し針素糸を結ばずに留めて瘤を無くすと仕掛け全体の脆さを克服する事が出来る。危険度を減らし、強度のある扱い易い、寿命の長いサビキ仕掛けに改善する事である。サビキ仕掛けを作る要領は中枢の幹糸を切らずに長く張り、針素糸を絡めて潜し、絞り乍ら捲き付ける仕組にして接着剤で補填すれば万全なサビキ仕掛けが出来上がる。製作時間も現在形のものより短かい。一度使用したサビキ仕掛けを点検の際に不具合と成った針素糸を元から切り、僅かに残った元を摘んで横に真っ直ぐに引けば移動するので同じ位置でも針素糸の交換が出来る。修理、調整、補填も出来る。点検の際も作る時と同様に仕掛けの幹糸を一本に張り、作る時と同様の措置を構ずる事により、すべてが調うサビキ仕掛けにする事である。【選択図】図１
0003170326.tif 000002
【実用新案登録請求の範囲】
【請求項１】
本考案のサビキ仕掛けは、中枢の幹糸を一本にして長く張り、針素糸を絡めて、潜し、絞って捲き付けて出来るように特徴を出したサビキ仕掛け。捲き付けた箇所に接着剤を塗布して万全にする。幹糸を自在に選定出来るサビキ仕掛けである。
【請求項２】
本考案のサビキ仕掛けは針素糸を移動させる特徴を持っている。針素糸の交換時に元の針素糸を摘んで真っ直ぐに横に引けば移動する。同じ箇所でも針素糸の交換が出来る。釣り針の修理調整、補填も容易である。魚は真っ直ぐには引く事が出来ない。反転の力が加わる仕組みと成る特徴を持つサビキ仕掛け。
【請求項３】
本考案のサビキ仕掛けに使用する魚釣り錘を白色にして見易くした。
【請求項４】
本考案のサビキ仕掛けには瘤が無いので餌に擦り着けても残存の餌の傷みを軽減する特徴を出した。
【考案の詳細な説明】
【技術分野】
【０００１】  本考案は魚釣りのサビキ仕掛けの中枢である幹糸を切らずに作る事と針素糸の交換、修理、調整も容易にした現在形には無い画期的で特徴のあるサビキ仕掛けである。
【背景技術】
【０００２】  現在形の市販のサビキ仕掛けは、太い幹糸と細い針素糸を切って直接結び、撃いでるため、結び目が瘤に成る。その箇所は脆い。仕掛けの性質上、釣り針の数が多いだけ脆さの箇所も増え、総じて弱く切れ易い。釣り糸は硬質で太糸と細糸では結び難いためか、幹糸が細めで強度が足い無いためか、使用する錘も軽い。魚が掛かると絡まりが酷く寿命が尽きて廃棄する。錘が軽いと竿を上げる際に、風、魚の動きで重心が、ぶれて振り回わされ、人体にも絡まり、手傷を負ったり危険度が高い。
【考案の概要】
【考案が解決しようとする課題】
【０００３】  本考案のサビキ仕掛けは、中枢である幹糸を針素糸には関係なく太さの選定を可能にし、針素糸を結ばずに捲き付けるため瘤が出来ない。重量のある錘の使用も可能にする事で、仕掛け全体の絡まりを抑制する事で前述の欠点を解決出来る。更に捲き付けた針素糸の移動が可能で同じ箇所でも交換が出来る。釣り針の磨ぎ、調整も可能なサビキ仕掛けにする事にある。
【課題を解決するための手段】
【０００４】  本考案のサビキ仕掛けは現在形には無い、中枢の幹糸を切らずに張り釣り針付きの針素糸を絡めて潜し、絞り乍ら５回以上、繰り返し捲き付ける仕組で作る。結び目が無いので瘤は無い。幹糸には疵がつかない。使用後の点検の折、針素糸の移動が可能に成る。不良と成った針素糸の元を切り、残った元を摘んで移動させ、同じ箇所でも針素糸の交換釣り針の磨ぎ、調整も可能な、新サビキ仕掛けを登場させる事にある。
【考案の効果】
【０００５】  本考案のサビキ仕掛けの仕上がりは画期的で強く、瘤が無いので擬似餌針の刺し引きも高率よく操作が出来る。無理な扱いをしなければ切れる事は無い。餌に擦り着けても瘤が無いので残存の餌の傷みを軽減出来る。重量のある白色錘の使用で、竿がぶれも少ない。釣果の上がるサビキ仕掛けと成った。
【図面の簡単な説明】
【０００６】
【図１】  本考案のサビキ仕掛けの実施例を示す図面である。
【図２】  本考案のサビキ仕掛けの作り方、針素糸の交換を示す図面である。
【図１】
0003170326.tif 000003
【図２】
0003170326.tif 000004
【手続補正書】
【提出日】平成23年6月30日(2011.6.30)
【手続補正１】
【補正対象書類名】実用新案登録請求の範囲
【補正対象項目名】全文
【補正方法】変更
【補正の内容】
【実用新案登録請求の範囲】
【請求項１】
中枢である幹糸を長く張り針素糸を絡めて引き付けながら潜して捲きつけて仕上げ、その部位の外形を滑らかに整えるため接着剤や整形剤を施して仕上げたことを特徴とするサビキ仕掛け
【請求項２】
白色の魚釣り錘を更に備えたことを特徴とする請求項１のサビキ仕掛け
(57)【要約】      （修正有）【課題】下地の損傷を抑えながら留め付ける、抜けにくい画鋲を提供する。【解決手段】画鋲の鋲の部分を、抜けにくくするために、らせん状にすることで引き抜けなくし、しかも、下地へ留めつける場合、鋲の部分自体が、圧入することで同時に挿入し易い方向に回転を発生することで下地への損傷を抑える。【選択図】図１
0003170327.tif 000002
【実用新案登録請求の範囲】
【請求項１】
画鋲の鋲部分を、らせん状にすることで引き抜きにくくし留めつけたものを、外れにくくする、らせん状鋲付画鋲。
【請求項２】
２種類のパーツからなり、鋲部分と、押し込み部分との構成からなって、画鋲を留めつける際、押し込み部分内部に絶縁された中空部分があり、その部分に、鋲芯とは反対方向の、釘の頭形状の鋲頭中心部分に円錐状の突起物を有し、その頂点と押し込み部分内部の中空部分が一点の作用点になるために、押し込み部分を押すことで、鋲自体が、挿入し易い方向に回転を生ずることで回転挿入し、押し込み部分内部の円筒状空間部分を鋲芯が通過することで力の方向性が確保され、下地へ留めつけることができ、抜けにくくすることができる、請求項１に記した、らせん状鋲付画鋲。
【請求項３】
物を留めつけた場合、押し込み部分内部と、らせん状鋲の釘の頭形状の鋲頭部分周囲の鋲側へ均等に４箇所突起を有し、その部分が接触し鋲芯の回転を止めることで外れなくする、請求項１から２の、らせん状鋲付画鋲。
【考案の詳細な説明】
【技術分野】
【０００１】  画鋲を抜けにくくするために、らせん状の鋲にし、又、内部構造を、回転しながら刺さることで、下地を、なるべく損傷を抑えながら留め付ける、抜けにくい画鋲を提供する。
【背景技術】
【０００２】  元来画鋲とは、下地へ刺さる部分は、直線の鋲である、しかし、抜けにくくするために、らせん状の鋲にし、又、内部構造を、回転しながら刺さることで、下地を、なるべく損傷を抑えながら留め付ける、抜けにくい画鋲を提供する。
【先行技術文献】
【０００３】
【特許文献】
【０００４】
【特許文献１】実登  第３１０４１０８号
【特許文献２】特開  ２００２−３６２０９４
【考案の概要】
【考案が解決しようとする課題】
【０００５】  画鋲を、壁などに留めつけた場合い、なるべく抜けなくし、下地の損傷を少なくする。
【課題を解決するための手段】
【０００６】  解決しようとする問題点は、画鋲を、壁などに留めつけた場合い、抜けにくくするために鋲の部分をらせん状にし、留めつける場合、下地を、損傷を少なくするために、鋲部分のみを回転する内部構造とする。
【考案の効果】  らせん状にすることで引き抜き強度が増した。
【図面の簡単な説明】
【０００７】
【図１】使用状況の横断面説明図である。
【図２】内部収納の、らせん状鋲の押し込み側の表側の図である。
【図３】内部収納の、らせん状鋲の押し込み側の裏側の図である。
【考案を実施するための形態】
【０００８】  最近の、住宅建築に使用される内部壁材は、軟質系の石膏ボード類を、使用するため画鋲が効きにくい、そのために、ｂらせん状の鋲にすることで引き抜き強度が増し、抜きにくくなる、鋲部分が、ｂらせん状であるため、なるべく、ゆっくり押し込み、引き抜く場合は、壁の損傷を少なくするために、画鋲を左回転しながら、引き抜く。
【０００９】  ２種類のパーツからなり、鋲部分と、押し込み部分との構成からなって、画鋲を留めつける際、押し込み部分内部に中空部分があり、その部分に、鋲芯とは反対方向の、釘の頭形状の鋲頭中心部分に円錐状の突起構造物を有し、その頂点と押し込み部分内部の中空部分が一点の作用点になるために、押し込み部分を押すことで、鋲自体が、挿入し易い方向に回転を生ずることで回転挿入し、押し込み部分内部の円筒状空間部分を鋲芯が通過することで力の方向性が確保され、下地への留めつけることができ、抜けにくくすることができる、又、壁の損傷を少なくすることができる、らせん状鋲付画鋲。
【０００１０】
【符号の説明】
【０００１１】ａ，鋲を、円筒状の、さや管形状内にて力の伝達方向性を確保し、鋲頭部を絶縁するために、内部空間構造を有する、押し込み部分
ｂ、らせん状形状を有する、鋲部分
ｃ、らせん状の鋲部分のみを回転さすための、円錐状の突起１個
ｄ、らせん状の鋲部分のみの回転を、止めるための突起４個
【図１】
0003170327.tif 000003
【図２】
0003170327.tif 000004
【図３】
0003170327.tif 000005
(57)【要約】      （修正有）【課題】段差や坂道など負荷が増した場合にも軽い力のままで駆動出来る車椅子を提供する。【解決手段】リングを掴み直さなくて済むように車輪４と接するリール３を設けてそのリールを回すハンドル１を付けて、ハンドルを掴んだままで車輪を回せるようにしたと共に、ハンドルでリールを回すのに、駆動回転と従動回転の連結が大負荷では減速に切り替わる回転機構２を組み込み、段差や坂道では走行速度は遅くはなるが、ハンドルを回す力の増大が少ないようにした。又、緩い下り坂でのブレーキはハンドルを抑えることで果たせるが、急な下り坂でのブレーキは肘掛前部に配した握り１５でリールの回転を抑制し車輪を止めるようにしたことにより、乗り降りの際の一時的ブレーキ操作も肘掛に手を付きながらの体起こしと同時に出来るようにした。【選択図】図１
0003170317.tif 000002
【実用新案登録請求の範囲】
【請求項１】
車椅子の車輪をハンドルで回すべく車輪に圧接されたリールを配し、ハンドルとリール間の回転伝達機構として、ハンドルに連結した入力ギヤとその回転を伝えるクラッチスプリングやワンウエイクラッチを備えると共に、従動部品にバネを係止し、更に減速となる入出力ギヤとその回転を伝えるクラッチスプリングやワンウエイクラッチを備えたもう１つの回転軸を備え、負荷が増大すると減速に切り替わる機能とした、車椅子。
【考案の詳細な説明】
【技術分野】
【０００１】  本考案は、従動回転の連結が負荷の増大によって高速から低速に切り替わり、負荷が増大しても駆動力が少なくて済む変速機構を使い、ハンドルの回転を車椅子車輪に伝えるようにして、段差や坂道など負荷が増した場合にも軽い力のままで駆動出来るようにした、ハンドルでタイヤを回す機構を持つ車椅子である。
【背景技術】
【０００２】  段差や坂道など自在に走行する用途としては電動車椅子があるが、かなり高価でもあり、狭い場所での素早い旋回は難しく、椅子全体が重いので行楽へ出掛けるなどの際の車への積み込みや階段のある家では屋根下などへの収納が大変であった。
尚、バッテリーの劣化によっての走行距離減少を来した場合は、帰りは手動での走行となり、モーターの負荷が加わって走行に非常に力を要した。
又、モーター走行でスピードを早くすると、石などの障害物を乗り越える際に危険を感ずるので走行速度が低く抑えられていた。
【先行技術文献】
【特許文献】
【０００３】  段差や坂道など負荷が増した場合にも軽い力のままで駆動出来るべく、ハンドルでリールを回す回転機構には、特開昭６２−２８５５１で示される駆動回転と従動回転の連結が負荷の増大によって高速から低速に切り替わり、負荷が増大しても駆動力が少なくて済む変速機構を使った。
【考案の概要】
【考案が解決しようとする課題】  本考案は、タイヤの側面に取り付けただけのリングでは手を離さないで１回転させることが出来ないので、長い坂を登る時はリングを掴み直すべく手を素早く送らなければならず、非常に熟練を要し介護者無しに１人で戸外に出るのは難しく、行き帰りに多くの時間を要した。
又、車道と歩道の境界など急傾斜の段差も多く、その場合はリングを回すのに大きな力を要するので登れない箇所も多く、緩い段差まで迂回せざるを得なかった。
【課題を解決するための手段】  本考案では、リングを掴み直さなくて済むように車輪と接するリールを設けてそのリールを回すハンドルを付けて、ハンドルを掴んだままで車輪を回せるようにしたと共に、ハンドルでリールを回すのに、駆動回転と従動回転の連結が大負荷では減速に切り替わる機構を組み込み、段差や坂道では走行速度は遅くはなるが、ハンドルを回す力の増大が少ないようにした。
【実施例】  車椅子全体の斜視図１と回転連結機構の１部を切り欠いた断面図２にて説明する。
ハンドル１が回されれば、回転機構２を介してリール３を回し、リール３は外周部がＶ字状に開いていて車輪４に圧接され回転させる。
次に回転機構２を説明する。ハンドル１の回転は入力ギヤ５を回転させ、平地で負荷が小さい時は右巻きクラッチスプリング６は締まり回転で出力アーバ７を回転させ、出力アーバ７に係止された板バネ８は固着された出力大ギヤ９を回す。
出力大ギヤ９と出力小ギヤ１３は噛み合っていてリール３を回す。この時、従動ギヤ１０も回されているが、左巻きクラッチスプリング１１は緩みの状態で、従動ギヤ１０は空転する。このクラッチスプリングはワンウエイクラッチでも機能する。
段差や登り坂で負荷が大きい時は板バネ８は撓み、カラー１２が出力大ギヤ９の突起部９ａに当り右巻きクラッチスプリング６の回転伝達は遮断され、従動ギヤ１０と出力小ギヤ１３の回転が繋がり、減速されるので負荷に比して軽い力で回し得る。
尚、遮断トルクは板バネ８の撓み量で変わるので、トルク値を上げる時は板バネ８を更に撓ませれば変更出来、トルク値を下げる時はクラッチスプリング６のフック部６ａを緩み方向に動かして板バネ８の撓みを無くし、再度板バネ８を撓ませて設定する。
上記のハンドルでリールを回し車輪を回す機構を左右に付ければ、ハンドルを持ったままで走行させられるので、従来のリングの場合のリングを素早く掴み直す熟練も不要であり、下り坂でもハンドルを握っていれば遮断トルク分のブレーキは掛けられるし、更に急な下り坂ではブレーキパッド１４を備えた握り１５を上へ引き、ブレーキパッド１４をリール３に突き当てれば、ブレーキは掛けられる。
【図面の簡単な説明】
【図１】車椅子全体の斜視図
【図２】回転連結機構の１部を切り欠いた断面図
【符号の説明】１        ハンドル
２        回転機構
３        リール
４        車輪
５        入力ギヤ
６        右巻きクラッチスプリング
６ａ      フック部
７        出力アーバ
８        板バネ
９        出力大ギヤ
１０      従動ギヤ
１１      左巻きクラッチスプリング
１２      カラー
１３      出力小ギヤ
１４      ブレーキパッド
１５      握り
【図１】
0003170317.tif 000003
【図２】
0003170317.tif 000004
【手続補正書】
【提出日】平成23年6月23日(2011.6.23)
【手続補正１】
【補正対象書類名】実用新案登録請求の範囲
【補正対象項目名】全文
【補正方法】変更
【補正の内容】
【実用新案登録請求の範囲】
【請求項１】
車椅子の車輪をハンドルで回すべく車輪に圧接されたリ−ルを配し、ハンドルとリ−ル間の回転伝達機構として、ハンドルに連結した入力ギヤとその回転を伝えるクラッチスプリングやワンウエイクラッチを備えると共に、それにて回される回転部材と出力ギヤにバネがさし渡されると共に、クラッチスプリングのフックが係止されるスリ−ブを備えた回転伝達経路と、更に上記入力ギヤ及び出力ギヤと噛み合うもう１つの入力ギヤ及び出力ギヤと、その回転を伝えるクラッチスプリング又はワンウエイクラッチを備えた、もう１つの回転伝達経路を備え、負荷が増大すると減速に切り替わる機能とした、車椅子。
(57)【要約】      （修正有）【課題】シャワーの際や浴室にて用いられる椅子であって、肌に柔軟に接して長時間座っても局部的な痛みを感じ難く、肘掛を退避出来ると共に、浴室スペースに邪魔とならない様、折り畳み可能とした浴室椅子を提供する。【解決手段】座面・背凭れ面をゴムやエラストマーの弾性材料のシート１のみで構成することにより、個人によって体型が違っても伸びが大きいので、調節が不要となった。又、シート支持フレームは左右にＸ状の構造とし、上記シートの４隅をフレ−ム上部の４ヶ所に係止することによって、横方向と垂直方向の強度を互いに支え合う構造として、椅子全体としても軽量化すると共に、楽な姿勢で折畳みし易くした。尚、弾性材であるから脱着が小さい力で済むので、日光乾燥・取り替えも容易となった。【選択図】図１
0003170312.tif 000002
【実用新案登録請求の範囲】
【請求項１】
座面・背凭れ面をゴムやエラストマ−の弾性材料のシ−ト材のみとし、椅子はフレ−ムを左右のＸ状に回転自由に連結され、上記シ−トの４隅をフレ−ム上部・前部の４ヶ所に係止する構造とした。
【考案の詳細な説明】
【技術分野】
【０００１】  本考案はシャワ−の際や浴室にて用いられる椅子であって、肌に柔軟に接して長時間座っても局部的な痛みを感じ難く、肘掛を退避出来ると共に、浴室スペ−スに邪魔とならない様、折り畳み可能としたものである。
【背景技術】
【０００２】  本考案は、特に老人や障害者など体の柔軟性が損なわれた人を考慮したもので、長時間座っていると従来の座面や背凭れ面を固いプラスチックや薄い発泡体を内蔵したもので支えるとしても、体型の違い等により痛みを感じ易い点を改良したものである。と共に、介護者が浴室に出入りする際に浴室扉等の開閉に妨げが少ない様、折畳み出来る構造とした。
【先行技術文献】
【特許文献】
【０００３】  最近の出願例としては、折り畳み可能として特願２００８−０９５６４１や、介護者が洗い易く柔軟性の有るものとして特願２００５−２５４１８３がある。
【考案の概要】
【考案が解決しようとする課題】  従来の座と背凭れが決まってしまっている場合では、特に円背の方などはその円背の湾曲度合い等にもよって、かなりの痛みを感じてしまうことになり、調節出来る構造の物が有ったとしても、老年の方には調節が難であり、介護者も調節量のやりとりで手間が掛ることになった。
又、調節が出来る椅子は構造が複雑で、その分椅子が重い物となってしまっていた。そうすると、介護センタ−など椅子の数の多いところでは移動にも労力を要することの弊害が有った。
【課題を解決するための手段】  座面・背凭れ面をゴムやエラストマ−の弾性材料のシ−トとすることにより、個人毎の体型に順じて伸びるので、個人に対応した調節が不要になると共に、シ−ト支持フレ−ムはＸ状構造とし、上記シ−トの４隅をフレ−ム上部の４ヶ所に係止することによって、横方向と垂直方向の強度を互いに支え合う構造として、椅子全体としても軽量化した。
Ｘ状交点は回転自由で折畳み可能に構成されて、狭い浴室スペ−スの有効活用を果たす。
【実施例】  図１について説明する。
ゴム又はエラストマ−等の弾性材料でなるシ−ト１は、右前筒２・左筒前部３ａ・右後筒４・左筒後部３ｂに係止される。
それによって、体型に違いがあってもシ−ト１は適宜に伸びて剛体で体を支持する構造ではないので、体に柔軟に接すると共に、椅子としての体の保持がなされる。
それに加えて、シ−ト１は汚れが残り易く、その為浴室という湿気の多い場所であるから抗菌剤入り材料としてもカビが発生し易いが、弾性材料で伸びが大きく上記筒部先端へ前係止筒部１ａ・後係止筒部１ｂなどを軽い力で脱着が出来、日光乾燥・取り換えが容易に為し得る。
左筒前部３ａと左筒後部３ｂは左筒連結筒部３ｃにて一体であり、右前筒２は左筒連結筒部３ｃ内を通る一体の連結軸（図示されない）を介して右後筒４と締結もしくは固着される。
筒足５は掎子の下部４隅に配され、締結ネジの位置を変えることにより、椅子全体の高さを変えるのに供される。
使わない時は、シ−ト１が弾性体であることをふまえ、椅子全体は左筒後部３ｂと右後筒４の高い位置を手で左右方向に縮めれば、折畳むことが可能となる。
肘掛６は後端を右後筒４に軸支され、前部を長穴板７の長穴に係止されて、肘掛６の上への退避を可能にしている。
図２についても図１と同様な構成で、フレ−ムは前後にＸ状に構成され、図１でも備えられてはいるが、扇バネ８で折畳んだ位置を保持する機能となっている。
この場合には、前側の筒位置は低い方が座る時は使い易いが、折畳む際は低い位置を持たなければならず、その姿勢は図１の左右にＸ状構造よりは使い難い。
【図面の簡単な説明】
【図１】左右にＸ状の浴室椅子図
【図２】前後にＸ状の浴室椅子図
【符号の説明】１        シ−ト
２        右前筒
３ａ      左筒前部
３ｂ      左筒後部
３ｃ      左筒連結筒部
４        右後筒
５        筒足
６        肘掛
７        長穴板
８        扇バネ
【図１】
0003170312.tif 000003
【図２】
0003170312.tif 000004
【手続補正書】
【提出日】平成23年6月23日(2011.6.23)
【手続補正１】
【補正対象書類名】実用新案登録請求の範囲
【補正対象項目名】全文
【補正方法】変更
【補正の内容】
【実用新案登録請求の範囲】
【請求項１】
座面・背凭れ面をゴムやエラストマ−の弾性を有する板状材料で大部分が構成され、その４隅に係止の為の凹部を設けたシ−トとし、そのシートを支える骨組みは、左右方向の中央で回転自由に連結されつつ斜めに配された前後各々２つの構造部材で構成され、その構造部材の先端に上記シートの４隅の凹部を係止した椅子。
(57)【要約】      （修正有）【課題】ヘルメットを着用し作業などを行う際に頭部や額から流れる汗を吸収し、脱着が容易なうえ水洗いし何度も使えるヘルメット用汗取具を提供する。【解決手段】両目を覆う程度の大きさで全面タオル素材を重ね縫い合わせ、ヘルメット内側にあるプラスチック止め具の額部分をはさみ合わせ止める。【選択図】図２
0003170320.tif 000002
【実用新案登録請求の範囲】
【請求項１】
ヘルメットを着用し作業などを行う際頭部や額から流れる汗を、▲１▼全面タオル地素材で、▲２▼何重かに重ね縫い合せ、▲３▼両端にマジックテープの止め具を縫い付けた汗取具で吸収する。汗取具は、▲４▼両目幅丁度の長さと小さめで、▲５▼ヘルメット内部止めのプラスチック部分の額が当たる部にはさみ合わせ止める為脱着がよういなうえ、▲６▼水洗いしても何度も使える。
【考案の詳細な説明】
【技術分野】
【０００１】ヘルメット着用し作業などを行う際に、頭部や額から流れる汗の不快感を減らす。
【背景技術】
【０００２】ヘルメットを着用し作業などを行う事で、頭部や顔面を流れ落ちる汗をタオル等で拭き取っていたが、近年においては、安全や統一性の問題で作業場へのタオル等の持込が制限されてきている。
【先行技術文献】
【特許文献】
【０００３】
【特許文献１】汗取マット帯全体を包被して保持する袋状のホルダーに、出入開口部を設けているマットが提案されている。
【非特許文献】
【０００４】
【非特許文献１】片面のみタオル地である吸汗シートを取付具で取付、中央より両側へ勾配のある排水部と、シート下縁に防水加工を施した吸汗具が提案されている。
【０００５】
【先行技術文献】
【特許文献１】特開平９−１４３８１５号公報
【特許文献２】実用新案開平７−２８９３２号公報
【考案の概要】
【考案が解決しようとする課題】
【０００６】特許文献１では、汗取りマットとマットホルダーとの２部で形成されており、ホルダーの開口部よりマットを出し入れする手間がかかる。取付が粘着剤の為汗による脱落の可能性が高い。【０００７】特許文献２では、両方面の素材の違いや、シート下縁の勾配や防水加工など製作に手間がかかるし取付具の素材が不明である。
【課題を解決するための手段】本考案汗取具は、両目を覆う程度の大きさの全面タオル素材を重ねた物で汗を吸収し、取付はヘルメット内部のプラスチック止め具の額部分をパットではさみ、上部のマジックテープにより止めるものである。
【考案の効果】マジックテープ止めの為、片手で脱着ができ、簡単な構造で安価で製作できる。
【図面の簡単な説明】
【図１】タオル地を重ねずれないよう▲２▼のように縫い目を入れ、内側となる両端にマジックテープを縫い付ける。
【図２】ヘルメットの内側プラスチック製保護止めの、前面額部分を頭部側にマジックテープがくるようにはさみ止める。
【考案を実施するための形態】
本考案汗取具は、タオル地を何重か重ね生地がずれないように縫い合わし、両端に縫い付けたマジックテープで止める。  この時両面の長さがずれないように中央部にも縫い目を入れる。
【実施例】脱着が簡単で、水洗いしても何度も使用できる。
【符号の説明】▲１▼・・・汗取具本体
▲２▼・・・縫い合せ部ライン
▲３▼・・・マジックテープ止め具位置
▲４▼・・・止め具合せ位置
▲５▼・・・ヘルメット内止め位置
【図１】
0003170320.tif 000003
【図２】
0003170320.tif 000004
【手続補正書】
【提出日】平成23年7月20日(2011.7.20)
【手続補正１】
【補正対象書類名】実用新案登録請求の範囲
【補正対象項目名】全文
【補正方法】変更
【補正の内容】
【実用新案登録請求の範囲】
【請求項１】
ヘルメットを着用し作業などを行う際頭部や額から流れる汗を吸収する汗取具であって、前記汗取具に重ね縫い合せ両端にワンタッチテープの止め具を縫い付けた両目幅丁度の長さであり前記汗取具を、ヘルメットのプラスチック内装部の額が当たる部にはさみ合わせ止め、脱着が容易なうえ水洗いし何度も使えることを特徴とするヘルメット用汗取具。
【手続補正２】
【補正対象書類名】明細書
【補正対象項目名】全文
【補正方法】変更
【補正の内容】
【考案の詳細な説明】
【技術分野】
【０００１】
ヘルメット着用し作業などを行う際に、頭部や額から流れる汗の不快感を減らす。
【背景技術】
【０００２】
ヘルメットを着用し作業などを行う事で、頭部や顔面を流れ落ちる汗をタオル等で拭き取っていたが、近年においては、安全や統一性の問題で作業場へのタオル等の持込が制限されてきている。
【０００３】
汗取マット帯全体を包被して保持する袋状のホルダーに、出入開口部を設けているマットが提案されている。
【０００４】
片面のみタオル地である吸汗シートを取付具で取付、中央より両側へ勾配のある排水部と、シート下縁に防水加工を施した吸汗具が提案されている。
【先行技術文献】
【特許文献】
【０００５】
【特許文献１】特開平９−１４３８１５号公報
【特許文献２】実用新案開平７−２８９３２号公報
【考案の概要】
【考案が解決しようとする課題】
【０００６】
特許文献１では、汗取りマットとマットホルダーとの2部で形成されており、ホルダーの開口部よりマットを出し入れする手間がかかる。取付が粘着剤の為汗による脱落の可能性が高い。
【０００７】
特許文献２では、両方面の素材の違いや、シート下縁の勾配や防水加工など製作に手間がかかるし取付具の素材が不明である。
【課題を解決するための手段】
【０００８】
本考案汗取具は、両目を覆う程度の大きさの全面タオル素材を重ねた物で汗を吸収し、取付はヘルメット内部のプラスチック止め具の額部分を汗取具ではさみ、上部のワンタッチテープにより止めるものである。
【考案の効果】
【０００９】
ワンテッチテープ止めの為、片手で脱着ができ、簡単な構造で安価で製作できる。
【図面の簡単な説明】
【００１０】
【図１】タオル地を重ねずれないよう（２）のように縫い目を入れ、内側となる両端にワンタッチテープを縫い付ける。
【図２】ヘルメットの内側プラスチック製保護止めの、前面額部を頭部側にワンタッチテープがくるようにはさみ止める。
【考案を実施するための形態】
【００１１】
本考案汗取具は、タオル地を何重か重ね生地がずれないように縫い合わし、両端に縫い付けたワンタッチテープで止める。この時両面の長さがずれないように中央部にも縫い目を入れる。
【実施例】
【００１２】
脱着が簡単で、水洗いしても何度も使用できる。  
【符号の説明】
【００１３】
（１）・・・汗取具本体    
（２）・・・縫い合せ部ライン    
（３）・・・ワンタッチテープ止め具位置
（４）・・・止め具合せ位置    
（５）・・・ヘルメット内止め位置
(57)【要約】      （修正有）【課題】タオルにスナップボタンを付け、タオルをかけた場合に落ちにくくすることができるタオルを提供する。【解決手段】タオルにスナップボタンをつけ、そのスナップボタンをとめることで首からは落ちにくくなり、ハンガーからも落ちなくなる。タオルとスナップボタンで構成されているので、スナップボタンをとめても広げてハンガーなどにかけることができる。【選択図】図１
0003170351.tif 000002
【実用新案登録請求の範囲】
【請求項１】
スナップボタンを付けたことを特徴とするタオル。
【請求項２】
２組のスナップボタンを付ける際に、１組めと２組めのスナップボタンの凹部と凸部が左右逆に取り付けられたことを特徴とするタオル。
【考案の詳細な説明】
【技術分野】
【０００１】  本考案は、タオルにスナップボタンを付け、タオルをかけた場合に落ちにくくすることができるタオルに関するものである。
【背景技術】
【０００２】  従来のタオルは２か所に切り込みをいれたものであった。【０００３】  しかしながら、従来の２か所に切り込みを入れたタオルはハンガーにかけた時、一方の端を穴に入れ込むため、タオルを広げてかけることができない。しっかりとめるものがなく落ちやすかった。
【先行技術文献】
【特許文献】
【０００４】
【特許文献１】特許  第３６４６２２０号
【考案の概要】
【考案が解決しようとする課題】
【０００５】  本考案は、以上のような従来の欠点に鑑み、タオルに切り込みを入れないことを目的としている。【０００６】  タオルをハンガーにかけた場合もタオルを広げたままかけてとめることができることを目的としている。
【課題を解決するための手段】
【０００７】  本考案は、タオルを首だけにかける場合はスナップボタンを１組付け、首に巻いたときにボタンを留めて輪になっている中にもう一方のタオルの端を入れ込めば落ちにくくなる。【０００８】  タオルをハンガーなどにかけて使用する場合は、スナップボタンを２組取り付け、それぞれのスナップボタンの凹部と凸部を左右逆になるように取り付けておく。【０００９】  首に巻く場合はタオルが縦に長くなるようにスナップボタンで留めて使用する。【００１０】  ハンガーなどにかけて使用する場合はタオルをかけて、半分に折った状態でスナップボタンを留めれば落ちなくなり、広げてかけることができるため、問題点を解決している。
【考案の効果】
【００１１】  以上の説明から明らかなように、本考案にあっては次に列挙する効果が得られる。
（１）タオルとスナップボタンで構成されているので、スナップボタンをとめても広げて      ハンガーなどにかけることができる。
スナップボタンをとめているのでハンガーからタオルが落ちない。【００１２】（２）タオルを首にかけて作業するとき、落ちにくくなる。
【図面の簡単な説明】
【００１３】
【図１】本考案のスナップボタン付きタオルを示した平面図である。
【考案を実施するための形態】
【００１４】  この考案の実施形態を図１に示す。
タオルに２組のスナップボタンを付けるが、それぞれのスナップボタンの凹部と凸部を左右逆になるように付ける。
【実施例】
【００１５】  以下、添付図面に従って一実施例を説明する。タオルの素材は用途に応じて適宜素材を用い、大きさも用途に応じて適宜な大きさに縫製する。スナップボタンの取り付け位置も用途に応じて適宜なところに取り付ける。
【符号の説明】
【００１６】  １  タオル本体
２  スナップボタンの凹部
３  スナップボタンの凸部
【図１】
0003170351.tif 000003
(57)【要約】      （修正有）【課題】傘表面部布部材にプリントされた絵模様の色が水で濡れる事により変化する傘を提供する。【解決手段】雨水を受ける張り布部材が骨部材に取り付けられ、柄部を手で把持して使用する傘であって、張り布部材の表面に白色のインクでプリントされた絵模様が、水に濡れることによって所定の図柄が白から赤や緑、他の色に変化する。【選択図】図２
0003170357.tif 000002
【実用新案登録請求の範囲】
【請求項１】
傘の表面布部分に白色でプリントした絵模様のインクが水に濡れると絵模様の色が白から赤や緑、その他の色に変わり、乾燥すると白く描かれた状態になることを特徴とする傘。
【考案の詳細な説明】
【技術分野】
【０００１】  本考案は自然現象の雨や雪、から身を守る為の傘に関する。
【背景技術】
【０００２】一般に傘は模様をプリントなどや無地のもので水に濡れても模様の色が変化するタイプは無かった。
【考案の開示】
【考案が解決しようとする課題】
【０００３】本考案は、傘の表面布部分に白色でプリントされた絵模様のインクが水に濡れると赤や緑、他の色に変化して出現することにより、視覚的演出効果により見た人に衝撃と興味と驚きと楽しませる効果がある傘の提供を課題とする。
【課題を解決するための手段】
【０００４】雨水を受ける張り布部材が骨部材に取り付けられ、柄部を手で把持して使用する傘であって、上記張り布部材の表面に白色のインクでプリントされた絵模様が、水に濡れることによって所定の図柄が白から赤や緑、他の色に変化することを特徴とする。
【考案の効果】
【０００５】雨の日は外出しにくいものであるが、しかし傘表面生地が濡れると白色でプリントされた絵模様のインクの色が白から赤や緑、その他の色変わる、その意外性と便利性は使用する楽しみと見た人にも興味と驚きを提供する。
【考案を実施するための最良の形態】
【０００６】以下、図をもって説明する
［図１］傘の表面が濡れて無い状態の白色の絵模様の図である。
［図２］傘の表面が濡れた状態の図である。
白色の絵模様が変化して色が赤や緑に変わって見える。
［図３］絵模様の色が変化して赤や緑に変わった拡大図である。
【実施例】
【０００７】傘の表面布部分が水に濡れると白色のインクでプリントした絵模様が変化して白から赤や緑、他の色に変化する、このインクを使用して絵模様をプリントした、その効果が継続的であることを特徴とする傘。
【産業上の利用可能性】
【０００８】本考案は自然現象の雨や雪、などから身を守る為の傘として使用できる。
【図面の簡単な説明】
【０００９】［図面の説明］
【図１】白色でプリントした絵模様を描いた状態の側面図である。
【図２】傘の表面が濡れた状態で白の絵模様が赤や緑に変わった側面図である。
【図３】傘の表面が濡れた状態で白の絵模様が赤や緑に変わった拡大図である。
【符号の説明】１  傘の表面の白い絵模様の図
２  傘の表面の赤や緑に変わった色の絵模様の図
３  傘の表面の赤や緑に変わった色の絵模様の拡大図
４  雨
【図１】
0003170357.tif 000003
【図２】
0003170357.tif 000004
【図３】
0003170357.tif 000005
(57)【要約】      （修正有）【課題】粘着紙片を見苦しくなく粘着掲示するためのパソコンモニター用物品を提供する。【解決手段】適度の剛性を有する板体による長方形状の基体１を設け、該基体中央において上縁から下縁に達する直線状の折曲補助部を設け、該折曲補助部の上下端に弧状切除部を形成し、基体の一方の側端近傍裏面に粘着層を設けたことを特徴とする。【選択図】図６
0003170359.tif 000002
【実用新案登録請求の範囲】
【請求項１】
適度の剛性を有する板体による長方形状の基体を設け、該基体中央において上縁から下縁に達する直線状の折曲補助部を設け、該折曲補助部の上下端に弧状切除部を形成し、基体の一方の側端近傍裏面に粘着層を設けたことを特徴とするパソコンモニター用粘着ボード。
【請求項２】
基体を表側基体と、該表側基体幅より大きい幅の裏側基体とに一体形成し、裏側基体端裏面に端部粘着層を設け、該端部粘着層上縁から下縁に至る端部折曲補助部を設けてなる請求項１記載のパソコンモニター用粘着ボード。
【考案の詳細な説明】
【技術分野】
【０００１】  この考案は、パソコンモニター端部に付箋紙（弱粘着メモ紙）を貼付するときに使用して便利なる粘着ボードに関する。
【背景技術】
【０００２】  従来より、多様な付箋紙が利用されているが、この付箋紙を貼付するための専用ボードは見あたらない。
【考案の開示】
【考案が解決しようとする課題】
【０００３】  付箋紙はその手軽さから多く利用されている。これは弱粘着層を裏面に設けた小紙片で、物品や壁面への貼付と剥離が容易なものである。事務作業の現場では、主に仕切り壁などによく貼って利用されるが、この仕切り壁がないときはデスク面に貼ると作業面が狭くなるために、人によってはパソコンモニター端部に貼付している。しかし、短冊状の付箋紙が多数突出してしまい見苦しい。この利用の仕方は占有面積的に支障がないのであるが、視覚的理由からこの方法に難色を示す人も多数存在する。
本案は、以上のような従来からの付箋紙利用に関わる課題を解決するために考案されたもので、パソコンモニターサイドに粘着保持させることによって、視覚的に問題のない付箋紙利用の新たなる方式を提示するものである。
【課題を解決するための手段】
【０００４】  課題を解決する手段として本案は以下の構成とした。
すなわち、適度の剛性を有する板体による長方形状の基体を設け、該基体中央において上縁から下縁に達する直線状の折曲補助部を設け、該折曲補助部の上下端に弧状切除部を形成し、基体の一方の側端近傍裏面に粘着層を設ける。本案は以上の構成よりなるパソコンモニター用粘着ボードである。
【考案の効果】
【０００５】  本案によれば、パソコンモニター側部に張り出してボードを粘着させる方式のため、このボードに付箋紙を粘着させても付箋紙はこのボード面積内に位置するため、見苦しくなく快適に複数の付箋紙を利用することができる。また、本案は二つ折りにした基体の両側端をモニターに粘着させるので、平面視略三角形状となって基体の押圧変形を防ぎ、基体裏方にはペン等の挟持も可能であるなど、種々の利点を有する物品を得ることができ、粘着方式のためにその着脱も容易である。
【考案を実施するための最良の形態】
【０００６】  以下、本考案の実施形態について説明する。
図において、１は厚紙製の基体で、略長方形である。２は基体の短辺中央上縁より下端に達する折曲補助部で、本例では直線状の浅いミシン目を用いている。３は弧状切除部で、上記折曲補助部上下を中心に左右に振り分けて切除した円弧状部分である。４は粘着層で、基体の一方の長辺裏面の上縁から下縁に至る細長部分である。
本案使用時は、図２にて示すように、基体１を粘着層を裏側として鋭角に折曲し、図６に示すごとくパソコンモニター端面に粘着層を粘着させ、モニター裏面に位置する基体端を市販のテープにて粘着固定する。この状態において、モニター右方に張り出して本品が位置するので、基体表面に市販の粘着紙片を粘着掲示することができる。
この粘着紙片長より基体幅は大きいので、粘着紙片が基体よりはみ出ることなく、視覚的に安定した状態を保つことができる。基体折曲部上下端は、弧状切除部にて角がなく安全な印象が得られる。また、この基体取り付け時においては平面視略三角形状となり、強度の増加となる。さらに、基体裏方上部にペン等を挟持させることができる。本品はモニターに粘着する方式のため、不要時には容易に取り外すことができる。【０００７】  図３は本案の他例を示すものである。図において、１０は表側基体、１１は裏側基体、１２は前例の折曲補助部と同様の折曲補助部、１３は前例同様の粘着層、１４は裏側基体端部分である張り出し端、１５は折曲補助部１２と同様の該張り出し端中央の上縁から下縁に至る端部折曲補助部、１６は張り出し端裏面に形成される端部粘着層である。なお、裏側基体より張り出し端寸法を除いた基体幅は表側基体幅と同一である。
本例は、モニター裏面にテープを用いずに粘着させる場合を想定して設けたものである。
なお、モニター端近傍裏面は湾曲形状の場合があるため、端部折曲補助部をやや折曲することにて、図５に示すように２個所の粘着となって安定粘着させることができる。
以上、本案について説明したが、本案はパソコンモニター端に粘着して使用し、本品上に粘着させる粘着紙片を見苦しくなく掲示利用できるところにその特徴を有するものである。従来はこのような物品がなく、モニター端に直に貼り付けるために、紙片が多数突出して位置して見苦しいものであったが、本案にてこれが解消されるものとなったのである。
なお、既述の例は実施の一例であって、折曲補助部をエンボス加工方式や線状凹部にするなど、近似の他の構成としてもよい。
以上のごとく、本案にて視覚的に違和感のない粘着紙片掲示用の物品を得ることができる。【０００８】
【図面の簡単な説明】
【０００９】
【図１】  本考案の正面図（表側）
【図２】  本考案の折曲図
【図３】  本考案の他例の正面図（表側）
【図４】  本考案の取付説明図
【図５】  本考案の取付説明図（他例）
【図６】  本考案の使用説明図
【符号の説明】
【００１０】  １  基体
２  折曲補助部
３  弧状切除部
４  粘着層
１０  表側基体
１１  裏側基体
１２  折曲補助部
１３  粘着層
１４  張り出し端
１５  端部折曲補助部
１６  端部粘着層
１７  パソコンモニター
１８  市販の粘着テープ
１９  粘着紙片
【図１】
0003170359.tif 000003
【図２】
0003170359.tif 000004
【図３】
0003170359.tif 000005
【図４】
0003170359.tif 000006
【図５】
0003170359.tif 000007
【図６】
0003170359.tif 000008